(57)【要約】【課題】ＨＤＤ等の記憶装置内に格納された画像データを効率的に消去する。【解決手段】ＨＤＤ内に、図８（ａ）に示すように、生画像データ（符号化されていない画像データ）と符号化画像データが格納されている。画像種類判定部によりＨＤＤ内に格納されている画像データの種類が判定される。そして、消去部は、これらの画像データを消去する場合、先ず符号化データについて先頭部分のヘッダ領域を消去することによりデータを無効化する（図８（ｂ））。次に、消去部は、消去処理が行われなかった生画像データについて、全領域を消去することによりデータを無効化する（図８（ｃ））。【選択図】図８
2008117347.tif 000002
【特許請求の範囲】
【請求項１】
記憶装置内に格納されたデータを消去するデータ処理装置であって、
前記記憶装置内に格納されたデータの種類を判定する判定手段と、
前記判定手段により判定されたデータの種類に基づいて、消去方法を切り替えてデータを消去する消去手段と、
を有するデータ処理装置。
【請求項２】
前記消去手段は、符号化されているデータについては当該データの一部の領域を消去する消去方法によりデータを消去し、符号化されていないデータについては全領域を消去する消去方法によりデータを消去する請求項１記載のデータ処理装置。
【請求項３】
前記消去手段により消去を行う一部の領域が、消去しようとするデータの先頭部分の領域である請求項２記載のデータ処理装置。
【請求項４】
記憶装置内に格納されたデータを消去するデータ処理装置であって、
記憶装置内に格納されたデータの種類を判定する判定手段と、
前記判定手段により判定されたデータの種類に基づいて、消去順序を切り替えてデータを消去する消去手段と、
を有するデータ処理装置。
【請求項５】
前記消去手段は、符号化されていないデータを消去した後に符号化されているデータの消去を行う請求項４記載のデータ処理装置。
【請求項６】
前記消去手段は、符号化されているデータを消去した後に符号化されていないデータの消去を行う請求項４記載のデータ処理装置。
【請求項７】
記憶装置内に格納されたデータを消去するデータ処理装置であって、
前記記憶装置内に格納されたデータの種類を判定する判定手段と、
前記判定手段により判定されたデータの種類に基づいて、消去方法および消去順序を切り替えてデータを消去する消去手段と、
を有するデータ処理装置。
【請求項８】
前記消去手段は、符号化されていないデータの全領域を消去した後に、符号化されているデータの一部の領域の消去を行う請求項７記載のデータ処理装置。
【請求項９】
前記消去手段は、符号化されているデータの一部の領域を消去した後に、符号化されていないデータの全領域の消去を行う請求項７記載のデータ処理装置。
【請求項１０】
前記消去手段により消去を行う一部の領域が、消去しようとするデータの先頭部分の領域である請求項８または９記載のデータ処理装置。
【請求項１１】
記憶装置内に格納されたデータを消去するデータ処理方法であって、
前記記憶装置内に格納されたデータの種類を判定し、
判定されたデータの種類に基づいて、消去方法を切り替えてデータを消去するデータ処理方法。
【請求項１２】
記憶装置内に格納されたデータを消去するデータ処理方法であって、
記憶装置内に格納されたデータの種類を判定し、
判定されたデータの種類に基づいて、消去順序を切り替えてデータを消去するデータ処理方法。
【請求項１３】
記憶装置内に格納されたデータを消去するデータ処理方法であって、
前記記憶装置内に格納されたデータの種類を判定し、
判定されたデータの種類に基づいて、消去方法および消去順序を切り替えてデータを消去するデータ処理方法。
【請求項１４】
記憶装置内に格納されたデータを消去するデータ処理方法をコンピュータに実行させるためのプログラムであって、
前記記憶装置内に格納されたデータの種類を判定するステップと、
判定されたデータの種類に基づいて、消去方法を切り替えてデータを消去するステップとをコンピュータに実行させるためのプログラム。
【請求項１５】
記憶装置内に格納されたデータを消去するデータ処理方法をコンピュータに実行させるためのプログラムであって、
記憶装置内に格納されたデータの種類を判定するステップと、
判定されたデータの種類に基づいて、消去順序を切り替えてデータを消去するステップとをコンピュータに実行させるためのプログラム。
【請求項１６】
記憶装置内に格納されたデータを消去するデータ処理方法をコンピュータに実行させるためのプログラムであって、
前記記憶装置内に格納されたデータの種類を判定するステップと、
判定されたデータの種類に基づいて、消去方法および消去順序を切り替えてデータを消去するステップとをコンピュータに実行させるためのプログラム。
【発明の詳細な説明】
【技術分野】
【０００１】
本発明は、記憶装置内に格納されたデータを消去するデータ処理装置に関する。
【背景技術】
【０００２】
近年、複写機やプリンタなどの画像処理装置において、画像データを保持するための記憶装置としてハードディスクが用いられている。そのため、複写機やプリンタを用いて画像データの複写や印刷を行った場合、その画像データが記憶装置に残ってしまう。そのため、記憶装置としてハードディスクを用いた画像処理装置では、処理が終わった後の画像データを消去する必要があり、ハードディスク内のデータ消去方法として、様々な方法が提案されている（例えば、特許文献１、２参照。）。
【０００３】
特許文献１には、画像処理装置において、データ出力後、所定のタイミングで画像データの加工（消去、スクランブル処理）を行い、中止要求が入力されるか画像データを消去すべき領域がなくなるまで、繰り返し実行する方法が開示されている。
【０００４】
また、特許文献２には、画像データが記憶された領域に対してセキュリティレベルに応じて繰り返し無効化作業を行い、機密保護を達成する画像処理装置において、ハードディスク内の画像データを消去（無効化）中に次の画像データの入力があった場合には画像データの消去を中止し、次の画像データを書き込むことで無効化する方法が開示されている。
【０００５】
しかし、上述したような従来の方法では、ハードディスク内の画像データを消去する場合、画像の種類に関係なく消去処理を実施するため、画像によっては不必要な消去処理が行われ、無駄な時間が発生する。その結果、不意なシステム停止により画像データが有効なままで残る可能性が高い。
【０００６】
【特許文献１】特開平９−２８４５７２号公報
【特許文献２】特開２００４−０５６３４７号公報
【発明の開示】
【発明が解決しようとする課題】
【０００７】
上述した従来の方法では、ハードディスク等の記憶装置に格納されている画像データを消去する処理に時間がかかるという問題点があった。
【０００８】
本発明の目的は、ハードディスク等の記憶装置内に格納された画像データを効率的に消去することが可能なデータ処理装置、データ処理方法とプログラムを提供することである。
【課題を解決するための手段】
【０００９】
［データ処理装置］
本発明のデータ処理装置は、記憶装置内に格納されたデータを消去するデータ処理装置であって、
前記記憶装置内に格納されたデータの種類を判定する判定手段と、
前記判定手段により判定されたデータの種類に基づいて、消去方法を切り替えてデータを消去する消去手段とを有する。
【００１０】
本発明によれば、消去しようとするデータの種類を判定して、その判定結果に基づいて消去方法を切り替えるようにしているので、全ての種類のデータに対して一律に同じ消去方法を用いる場合と比較して、効率的にデータを消去することが可能となる。
【００１１】
好ましくは、前記消去手段は、符号化されているデータについては当該データの一部の領域を消去する消去方法によりデータを消去し、符号化されていないデータについては全領域を消去する消去方法によりデータを消去する。
【００１２】
好ましくは、前記消去手段により消去を行う一部の領域が、消去しようとするデータの先頭部分の領域である。
【００１３】
また、本発明のデータ処理装置は、記憶装置内に格納されたデータを消去するデータ処理装置であって、
記憶装置内に格納されたデータの種類を判定する判定手段と、
前記判定手段により判定されたデータの種類に基づいて、消去順序を切り替えてデータを消去する消去手段とを有する。
【００１４】
本発明によれば、消去しようとするデータの種類を判定して、その判定結果に基づいて消去順序を切り替えるようにしているので、全ての種類のデータに対して一律に同じ消去順序を用いる場合と比較して、効率的にデータを消去することが可能となる。
【００１５】
好ましくは、前記消去手段は、符号化されていないデータを消去した後に符号化されているデータの消去を行う。
【００１６】
好ましくは、前記消去手段は、符号化されているデータを消去した後に符号化されていないデータの消去を行う。
【００１７】
また、本発明のデータ処理装置は、記憶装置内に格納されたデータを消去するデータ処理装置であって、
前記記憶装置内に格納されたデータの種類を判定する判定手段と、
前記判定手段により判定されたデータの種類に基づいて、消去方法および消去順序を切り替えてデータを消去する消去手段とを有する。
【００１８】
本発明によれば、消去しようとするデータの種類を判定して、その判定結果に基づいて消去方法および消去順序を切り替えるようにしているので、全ての種類のデータに対して一律に同じ消去方法および消去順序を用いる場合と比較して、効率的にデータを消去することが可能となる。
【００１９】
好ましくは、前記消去手段は、符号化されていないデータの全領域を消去した後に、符号化されているデータの一部の領域の消去を行う。
【００２０】
好ましくは、前記消去手段は、符号化されているデータの一部の領域を消去した後に、符号化されていないデータの全領域の消去を行う。
【００２１】
好ましくは、前記消去手段により消去を行う一部の領域が、消去しようとするデータの先頭部分の領域である。
【００２２】
［データ処理方法］
また、本発明のデータ処理方法は、記憶装置内に格納されたデータを消去するデータ処理方法であって、
前記記憶装置内に格納されたデータの種類を判定し、
判定されたデータの種類に基づいて、消去方法を切り替えてデータを消去する。
【００２３】
また、本発明のデータ処理方法は、記憶装置内に格納されたデータを消去するデータ処理方法であって、
記憶装置内に格納されたデータの種類を判定し、
判定されたデータの種類に基づいて、消去順序を切り替えてデータを消去する。
【００２４】
また、本発明のデータ処理方法は、記憶装置内に格納されたデータを消去するデータ処理方法であって、
前記記憶装置内に格納されたデータの種類を判定し、
判定されたデータの種類に基づいて、消去方法および消去順序を切り替えてデータを消去する。
【００２５】
［プログラム］
また、本発明のプログラムは、記憶装置内に格納されたデータを消去するデータ処理方法をコンピュータに実行させるためのプログラムであって、
前記記憶装置内に格納されたデータの種類を判定するステップと、
判定されたデータの種類に基づいて、消去方法を切り替えてデータを消去するステップとをコンピュータに実行させる。
【００２６】
また、本発明のプログラムは、記憶装置内に格納されたデータを消去するデータ処理方法をコンピュータに実行させるためのプログラムであって、
記憶装置内に格納されたデータの種類を判定するステップと、
判定されたデータの種類に基づいて、消去順序を切り替えてデータを消去するステップとをコンピュータに実行させる。
【００２７】
また、本発明のプログラムは、記憶装置内に格納されたデータを消去するデータ処理方法をコンピュータに実行させるためのプログラムであって、
前記記憶装置内に格納されたデータの種類を判定するステップと、
判定されたデータの種類に基づいて、消去方法および消去順序を切り替えてデータを消去するステップとをコンピュータに実行させる。
【発明の効果】
【００２８】
以上説明したように、本発明によれば、消去しようとするデータの種類に応じて消去方法、消去順序を切り替えて消去処理が行われるため、記憶装置内に格納されたデータの消去を効率的に行うことができるという効果を得ることができる。
【発明を実施するための最良の形態】
【００２９】
次に、本発明の実施の形態について図面を参照して詳細に説明する。
【００３０】
［第１の実施形態］
図１は、本発明の第１の実施形態のデータ処理装置７０を有する画像処理装置のハードウェア構成を、データ処理装置７０を中心に例示する図である。
【００３１】
本実施形態における画像処理装置は、図１に示されるように、ＣＰＵ１０と、ＲＡＭ２０と、ＲＯＭ３０と、通信インタフェース部４０と、ユーザインタフェース部５０と、ＦＡＸインタフェース部６０と、データ処理装置７０と、スキャナ８０と、ＨＤＤ（Hard Disk Drive）９０と、プリントエンジン１００とから構成されている。
【００３２】
通信インタフェース部４０は、他の装置との間の通信処理を行う。ユーザインタフェース部５０は、ユーザからの設定入力や、ユーザに対する表示処理等のユーザインタフェースの処理を行う。ＦＡＸインタフェース部６０は、電話回線を介して他のＦＡＸ装置との間のＦＡＸ通信の処理を行う。
【００３３】
プリントエンジン１００は、データ処理装置７０において処理された画像データ等を印刷する処理を行う。ＣＰＵ１０は、ＲＡＭ２０、ＲＯＭ３０、通信インタフェース部４０、ユーザインタフェース部５０、ＦＡＸインタフェース部６０、データ処理装置７０、スキャナ８０、プリントエンジン１００の動作を制御している。
【００３４】
データ処理装置７０は、例えば、データ処理プログラムがインストールされた汎用コンピュータであり、ＣＰＵ１０からの指示に基づいて、スキャナ８０を介して取り込んだ画像データ等に対して所定のデータ処理を行う。そして、データ処理装置７０は、データ処理を行う際に、処理を行おうとする画像データを一旦記憶装置であるＨＤＤ９０に格納してからＣＰＵ１０により指定されたデータ処理を行う。
【００３５】
データ処理プログラムは、図示しない磁気ディスク、半導体メモリ等の記録媒体からデータ処理装置７０に読み込まれてインストールされることによりデータ処理装置７０の動作を制御する。
【００３６】
図２は、上記のデータ処理プログラムが実行されることにより実現される図１中のデータ処理装置７０の機能構成を例示する図である。
【００３７】
データ処理装置７０は、図２に示されるように、画像種類判定部７１と、消去部７２とから構成されている。
【００３８】
画像種類判定部７１は、ＨＤＤ９０内に格納された消去しようとするデータの種類を判定する。各画像データには一般的にデータの種類を示す情報が含まれているため、画像種類判定部７１は、この情報を参照することにより画像データの種類を判定する。
【００３９】
消去部７２は、画像種類判定部７１により判定された画像データの種類に基づいて、消去方法を切り替えてＨＤＤ９０内の画像データを消去する。具体的には、消去部７２は、符号化されている画像データについては、データの先頭部分のヘッダを消去する消去方法によりデータを消去し、符号化されていない画像データ（以下、生画像データと称する。）については全領域を消去する消去方法によりデータを消去する。
【００４０】
なお、ここで符号化画像データには、ＪＰＥＧ（Joint Photographic Experts Group）等の符号化画像データだけでなく、暗号化データや圧縮された画像データ等の何らかの処理が施された画像データも含まれるものとする。
【００４１】
次に、本実施形態のデータ処理装置の動作を図４のフローチャートを参照して詳細に説明する。
【００４２】
ＨＤＤ９０内に格納されている画像データが不要となりこの画像データの消去が行われる場合、画像種類判定部７１は、消去しようとする画像データの種類を判定する（Ｓ１０１）。そして、この画像データが生画像データ（符号化されていない画像データ）の場合には、消去部７２は、全領域を消去することにより無効化する（Ｓ１０２）。また、Ｓ１０１において消去しようとする画像データが符号化画像データであると判定された場合には、消去部７２は、この画像データのヘッダ領域を消去することにより無効化する（Ｓ１０３）。
【００４３】
そして、消去すべきデータがまだ残っているか否かが判定され（Ｓ１０４）、次データが存在する場合には次データの処理に進み（Ｓ１０５）、Ｓ１０１〜Ｓ１０３の処理が繰り返される。
【００４４】
そして、Ｓ１０４において次データが存在しないと判定された場合、つまり消去すべき画像データに対する処理が終わった場合、処理は終了する。
【００４５】
このような処理により画像データが消去される様子を図４に示す。図４では、５ページ分の画像データが示されていて、生画像データ、生画像データ、符号化画像データ、符号化画像データ、生画像データの順番にＨＤＤ９０内に格納されているものとする。
【００４６】
図４（ａ）は、本実施形態による消去処理が行われる前の画像データの様子を示したものであり、図４（ｂ）は、消去処理が行われた後の画像データの様子を示したものである。
【００４７】
図４（ｂ）を参照すると、生画像データについては全領域が消去され、符号化画像データについては先頭領域のヘッダ部分が消去されて無効化されていることがわかる。
【００４８】
本実施形態のデータ処理装置によれば、符号化画像データについては全領域を消去するのではなく、先頭部分のヘッダ領域のみが消去されるので、全ての種類の画像データについて全領域を消去する消去方法と比較して、画像データを消去するための処理時間が短縮される。
【００４９】
そして、画像データを消去するための処理時間が短縮されることにより、電源停止等の不意なシステム停止により画像データが有効なまま残ってしまうという可能性が低減されることになる。
【００５０】
なお、符号化画像データについては先頭部分のヘッダ領域を消去するだけで画像データ全体が無効化される理由については以下に説明する。
【００５１】
一般的に符号化データのヘッダには、どのような符号化が行われているのかという情報が含まれている。そのため、符号化データのヘッダ部分の領域を消去すると、その符号化データがどのような種類の符号化が行われているのかを判定することができなくなる。そのため、符号化データについてはヘッダ部分を消去することにより簡単には復号することができなくなる。
【００５２】
また、ＪＰＥＧ等のような符号化方法が一般的に知られているような画像データであっても、ヘッダ部分が消去されることにより他の領域のデータを復号し難くなる。
【００５３】
なお、本実施形態では、符号化画像データについては先頭領域のヘッダ部分のみを消去する消去方法を選択するものとして説明しているが、処理時間に余裕がある場合には、ヘッダ部分以外の領域のデータを消去するようにしてもよい。
【００５４】
さらに、本実施形態では、符号化画像データについては先頭部分のヘッダ領域を削除する場合を用いて説明しているが、本発明はこのような場合に限定されるものではない。符号化方法を示す情報が画像データの他の領域に格納されている場合には、その情報を削除することにより符号化画像データの復号が困難になり同様な効果を得ることができる。また、符号化画像データに対して先頭領域以外の一部の領域を消去することにより画像データ全体の復号が困難になるような場合であれば、消去しようとする画像データの任意の領域を消去することにより同様の効果を得ることができる。
【００５５】
［第２の実施形態］
次に、本発明の第２の実施形態のデータ処理装置について説明する。
【００５６】
本発明の第２の実施形態のデータ処理装置の構成については、消去部７２による消去動作が異なるのみであり、上記で説明した第１の実施形態のデータ処理装置と同様な構成であるためその説明は省略する。なお、本実施形態においても、図１、図２を参照して説明を行なう。
【００５７】
本実施形態における消去部７２は、画像種類判定部７１により判定された画像データの種類に基づいて、消去順序を切り替えてＨＤＤ９０内の画像データを消去する。具体的には、消去部７２は、生画像データを消去した後に符号化画像データの消去を行うようにする。
【００５８】
次に、本実施形態のデータ処理装置の動作を図５のフローチャートを参照して詳細に説明する。
【００５９】
ＨＤＤ９０内に格納されている画像データが不要となりこの画像データの消去が行われる場合、画像種類判定部７１は、消去しようとする画像データの種類を判定する（Ｓ２０１）。そして、この画像データが生画像データ（符号化されていない画像データ）の場合には、消去部７２は、全領域を消去することにより無効化する（Ｓ２０２）。また、Ｓ２０１において消去しようとする画像データが符号化画像データであると判定された場合には、消去部７２は、この画像データに対する処理を実施せずに処理をスキップする（Ｓ２０３）。
【００６０】
そして、消去すべきデータがまだ残っているか否かが判定され（Ｓ２０４）、次データが存在する場合には次データの処理に進み（Ｓ２０５）、Ｓ２０１〜Ｓ２０３の処理が繰り返される。
【００６１】
このような処理が行われることにより消去しようとする画像データのうち生画像データに対する消去処理のみが行われる。
【００６２】
そして、全ての画像データについての処理が終了すると、先頭データに対する処理に戻り（Ｓ２０６）、先ず画像データは消去済みであるか否かが判定される（Ｓ２０７）。そして、消去済みでないと判定された場合、つまり符号化画像データであると判定された場合、全領域を消去する消去処理が行われる（Ｓ２０８）。Ｓ２０７において消去済みであると判定された場合には、消去処理はスキップされる（Ｓ２０９）。
【００６３】
そして、消去すべきデータがまだ残っているか否かが判定され（Ｓ２１０）、次データが存在する場合には次データの処理に進み（Ｓ２１１）、Ｓ２０７〜Ｓ２０９の処理が繰り返される。
【００６４】
そして、Ｓ２１０において次データが存在しないと判定された場合、つまり消去すべき画像データに対する処理が終わった場合、処理は終了する。
【００６５】
このような処理により画像データが消去される様子を図６に示す。図６では、５ページ分の画像データが示されていて、生画像データ、生画像データ、符号化画像データ、符号化画像データ、生画像データの順番にＨＤＤ９０内に格納されているものとする。
【００６６】
図６（ａ）は、本実施形態による消去処理が行われる前の画像データの様子を示したものであり、図６（ｂ）は、生画像データのみに対して消去処理が行われた後の様子を示したものであり、図６（ｃ）は、生画像データと符号化画像データの両方について消去処理が行われた後の様子を示したものである。
【００６７】
図６（ｂ）を参照すると、消去しようとする画像データのうちの生画像データが先ず最初に消去され、図６（ｃ）を参照すると、次に符号化画像データが消去されていることがわかる。
【００６８】
本実施形態のデータ処理装置によれば、消去しようとする画像データのうち、先ず生画像データを優先して消去する。そして、生画像データの消去が終了した後に符号化画像データの消去が行われる。
【００６９】
このように生画像データを優先して消去する理由は、生画像データは、外部に漏洩した場合にそのまま内容を見ることが可能なデータであるためである。
【００７０】
なお、本実施形態では、生画像データを消去した後に符号化画像データを消去するようにしているが、逆に、符号化画像データを消去した後に生画像データを消去するようにしてもよい。
【００７１】
一般的には、内容が漏れることを防止する必要が高い重要な画像データが符号化されて格納されることが考えられる。そのため、生画像データの消去よりも符号化画像データの消去のほうがより優先されるべき場合も考えられる。このような場合には、符号化画像データを消去した後に生画像データを消去することにより、符号化画像データがＨＤＤ９０内に残ってしまう可能性をより低減することができる。
【００７２】
［第３の実施形態］
次に、本発明の第３の実施形態のデータ処理装置について説明する。
【００７３】
本発明の第３の実施形態のデータ処理装置の構成については、消去部７２による消去動作が異なるのみであり、上記で説明した第１および第２の実施形態のデータ処理装置と同様な構成であるためその説明は省略する。なお、本実施形態においても、図１、図２を参照して説明を行なう。
【００７４】
本実施形態における消去部７２は、画像種類判定部７１により判定された画像データの種類に基づいて、消去方法および消去順序の両方を切り替えてＨＤＤ９０内の画像データを消去する。本実施形態は、上記で説明した第１の実施形態と第２の実施形態を組み合わせたものである。
【００７５】
次に、本実施形態のデータ処理装置の動作を図７のフローチャートを参照して詳細に説明する。
【００７６】
ＨＤＤ９０内に格納されている画像データが不要となりこの画像データの消去が行われる場合、画像種類判定部７１は、消去しようとする画像データの種類を判定する（Ｓ３０１）。そして、この画像データが符号化画像データの場合には、消去部７２は、データの先頭部分のヘッダ領域を消去することによりデータを無効化する（Ｓ３０２）。また、Ｓ３０１において消去しようとする画像データが生画像データであると判定された場合には、消去部７２は、この画像データに対する処理を実施せずに処理をスキップする（Ｓ３０３）。
【００７７】
そして、消去すべきデータがまだ残っているか否かが判定され（Ｓ３０４）、次データが存在する場合には次データの処理に進み（Ｓ３０５）、Ｓ３０１〜Ｓ３０３の処理が繰り返される。
【００７８】
このような処理が行われることにより消去しようとする画像データのうち符号化画像データに対する消去処理のみが行われる。
【００７９】
そして、全ての画像データについての処理が終了すると、先頭データに対する処理に戻り（Ｓ３０６）、先ず画像データは消去済みであるか否かが判定される（Ｓ３０７）。そして、消去済みでないと判定された場合、つまり生画像データであると判定された場合、全領域を消去する消去処理が行われる（Ｓ３０８）。Ｓ３０７において消去済みであると判定された場合には、消去処理はスキップされる（Ｓ３０９）。
【００８０】
そして、消去すべきデータがまだ残っているか否かが判定され（Ｓ３１０）、次データが存在する場合には次データの処理に進み（Ｓ３１１）、Ｓ３０７〜Ｓ３０９の処理が繰り返される。
【００８１】
そして、Ｓ３１０において次データが存在しないと判定された場合、つまり消去すべき画像データに対する処理が全て終わった場合、処理は終了する。
【００８２】
このような処理により画像データが消去される様子を図８に示す。図８では、５ページ分の画像データが示されていて、生画像データ、生画像データ、符号化画像データ、符号化画像データ、生画像データの順番にＨＤＤ９０内に格納されているものとする。
【００８３】
図８（ａ）は、本実施形態による消去処理が行われる前の画像データの様子を示したものであり、図８（ｂ）は、符号化画像データのみに対して消去処理が行われた後の様子を示したものであり、図８（ｃ）は、生画像データと符号化画像データの両方について消去処理が行われた後の様子を示したものである。
【００８４】
図８（ｂ）を参照すると、消去しようとする画像データのうちの符号化画像データについての無効化が先ず最初に行われていることがわかる。ここでは、符号化画像データの全領域の消去が行われるのではなく、先頭部分のヘッダ領域のみが消去されることにより無効化が行われている。そして、図８（ｃ）を参照すると、次に生画像データが消去されていることがわかる。生画像データについては、当然のことながら、全領域について消去が行われている。
【００８５】
本実施形態によれば、先ず符号化画像データに対して先頭部分のヘッダ領域を消去することによりデータが無効化される。そして、先頭部分のヘッダ領域を消去する処理は、全領域を消去する処理と比較して短時間に実行することができる。そのため、比較的短時間において符号化画像データの無効化が行なわれることになる。その結果、途中でシステムが停止する等の事態が発生した場合でも符号化画像データがＨＤＤ９０内に残ってしまう可能性が削減される。
【００８６】
なお、本実施形態では、符号化画像データを消去した後に生画像データを消去するようにしているが、逆に、生画像データを消去した後に符号化画像データを消去するようにしてもよい。この場合には、符号化画像データの消去よりも生画像データの消去を優先する場合であり、このように生画像データを先に消去する場合でも、本実施形態によればデータを消去するために必要となる時間が短縮されるため、効率的なデータ消去を実現することができる。
【００８７】
［変形例］
上記実施形態では、画像データの種類をページ単位で判定して消去方法および消去順序を切り替える場合を用いて説明しているが、画像データの種類をジョブ単位で判定して消去方法や消去順序を切り替えるような場合でも同様に本発明を適用することができるものである。
【００８８】
また、上記実施形態では記憶装置内に格納された画像データを消去する場合を用いて説明しているが、本発明はこのような場合に限定されるものではなく、画像データ以外のデータを消去する場合にも同様に適用することができるものである。
【図面の簡単な説明】
【００８９】
【図１】本発明の第１の実施形態のデータ処理装置を有する画像処理装置のハードウェア構成を示すブロック図である。
【図２】図１中のデータ処理装置７０の機能構成を例示するブロック図である。
【図３】本発明の第１の実施形態のデータ処理装置の動作を示すフローチャートである。
【図４】本発明の第１の実施形態において画像データが消去される様子を説明するための図である。
【図５】本発明の第２の実施形態のデータ処理装置の動作を示すフローチャートである。
【図６】本発明の第２の実施形態において画像データが消去される様子を説明するための図である。
【図７】本発明の第３の実施形態のデータ処理装置の動作を示すフローチャートである。
【図８】本発明の第３の実施形態において画像データが消去される様子を説明するための図である。
【符号の説明】
【００９０】
１０    ＣＰＵ
２０    ＲＡＭ
３０    ＲＯＭ
４０    通信インタフェース部
５０    ユーザインタフェース部
６０    ＦＡＸインタフェース部
７０    データ処理装置
７１    画像種類判定部
７２    消去部
８０    スキャナ
９０    ＨＤＤ
１００    プリントエンジン
Ｓ１０１〜Ｓ１０５    ステップ
Ｓ２０１〜Ｓ２１１    ステップ
Ｓ３０１〜Ｓ３１１    ステップ
【図１】
2008117347.tif 000003
【図２】
2008117347.tif 000004
【図３】
2008117347.tif 000005
【図４】
2008117347.tif 000006
【図５】
2008117347.tif 000007
【図６】
2008117347.tif 000008
【図７】
2008117347.tif 000009
【図８】
2008117347.tif 000010